(57)【要約】【課題】下ホールド部材の建造物における構成部分に対する取付角度が変わった場合でも、足場板を構成部分に固定するための固定力が減少するのを抑制できる足場板固定用金具を提供することを目的とする。【解決手段】Ｈ形鋼５０上に配置される足場板６０をＨ形鋼５０に固定するため、足場板６０の上側に配置される上ホールド部材１１と、足場板６０の下側に配置され、上ホールド部材１１と協働してＨ形鋼５０及び足場板６０を挟持する下ホールド部材１２と、上ホールド部材１１と下ホールド部材１２とを互いに引き付けるネジ１３と、を備えている。下ホールド部材１２は、足場板６０の下面６１ａに接触する第１の接触部２１と、Ｈ形鋼５０の下面５１ａに対して交差する方向に延伸し、且つ先端部の剣先状の凸部３４のみＨ形鋼５０の下面５１ａに接触する第２の接触部３２と、第１の接触部３１と第２の接触部３２とを連結する連結部３３と、を有する。【選択図】図１
2010053683.tif 000002
【特許請求の範囲】
【請求項１】
被固定部材上に載置された足場板の上側に配置される上ホールド部材と、
前記足場板の下側に配置され、前記上ホールド部材と協働して前記被固定部材及び前記足場板を挟持する下ホールド部材と、
前記上ホールド部材と前記下ホールド部材とを互いに引き付ける引き付け部材と、を備え、
前記下ホールド部材は、前記足場板の下面に接触する第１の接触部と、前記被固定部材の下面に対して交差する方向に延伸し、且つ先端部のみ前記被固定部材の前記下面に接触する第２の接触部と、前記第１の接触部と前記第２の接触部とを連結する連結部と、を有する足場板固定用金具。
【請求項２】
前記第２の接触部には、前記被固定部材に対する滑りを抑制する滑り抑制手段が設けられている請求項１に記載の足場板固定用金具。
【請求項３】
前記下ホールド部材は、その横断面がＵ字状に湾曲している請求項１または２に記載の足場板固定用金具。
【発明の詳細な説明】
【技術分野】
【０００１】
本発明は、足場板固定用金具に関する。
【背景技術】
【０００２】
従来、ビル等の建造物に足場板を固定するため、各種の足場板固定用金具が提案されている（例えば、特許文献１参照）。図９は、特許文献１の足場板用固定金具１００を示す。この足場板用固定金具１００は、建造物の構成部分すなわち足場板を固定すべき被固定部材であるＨ形鋼１５０上に載置された足場板１６０をＨ形鋼１５０に着脱自在に固定するために用いられる。
【０００３】
足場板１６０は、図１０に示すように、長方形状の上板部１６１と、この上板部１６１における幅方向の両側に設けられた略Ｌ字状の脚部１６２とを有している。上板部１６１には、その幅方向に延びる長溝状の水抜き孔１６３が間隔をあけて多数設けられている。
【０００４】
足場板用固定金具１００は、足場板１６０の上側に配置される上ホールド部材１０１と、足場板１６０の下側に配置され上ホールド部材１０１と協働してＨ形鋼１５０及び足場板１６０を挟持する下ホールド部材１０２と、上ホールド部材１０１と下ホールド部材１０２とを互いに引き付けるためのネジ１０３とを有している。
【０００５】
上ホールド部材１０１は、足場板１６０の水抜き孔１６３に挿入される凹状部１１１と、この凹状部１１１の両側に設けられ足場板１６０上に配置される上板部１１２と、上板部１１２の端縁に設けられ足場板１６０の水抜き孔１６３に挿入される脚部１１３とを有している。凹状部１１１には、ボルト孔１１４が設けられている。
【０００６】
下ホールド部材１０２は、縦辺部１２１と横辺部１２２とによって略Ｌ字状に形成されている。横辺部１２２には、ネジ１０３を螺入するネジ孔１２３が設けられている。また、下ホールド部材１０２の縦辺部１２１及び横辺部１２２は、図１１に示すように、その横断面が略コの字状に形成されている。
【０００７】
図１０に示すように、足場板用固定金具１００によって足場板１６０をＨ形鋼１５０に固定する場合は、上ホールド部材１０１を足場板１６０上に載置し、凹状部１１１及び脚部１１３をそれぞれ異なる水抜き孔１６３に挿入する。また、下ホールド部材１０２の横辺部１２２をＨ形鋼１５０における上側のフランジ１５１の下側に配置し、縦辺部を足場板１６０の下側に配置する。
【０００８】
そして、ネジ１０３の軸部１３１を上ホールド部材１０１の上側から凹状部１１１のボルト孔１１４、及び足場板１６０の水抜き孔１６３を介して足場板１６０の下側に通し、軸部１３１の先端のネジ部分１３２を下ホールド部材１０２のネジ孔１２３に螺入してネジ１０３を締め付ける。これにより、上ホールド部材１０１と下ホールド部材１０２とが互いに引き付けられて、上ホールド部材１０１と、下ホールド部材１０２の横辺部１２２とによって足場板１６０とＨ形鋼１５０とが重ねられた状態で挟持され、足場板１６０がＨ形鋼１５０に固定される。
【０００９】
足場板用固定金具１００を足場板１６０及びＨ形鋼１５０に最初に取り付けたときの姿勢（初期取付姿勢）では、下ホールド部材１０２の横辺部１２２はＨ形鋼１５０のフランジ１５１に対して略平行であり、横辺部１２２の比較的長い部分がＨ形鋼１５０のフランジ１５１に接触するように設定されている。
【先行技術文献】
【特許文献】
【００１０】
【特許文献１】意匠登録第１１６７６３７号公報
【発明の概要】
【発明が解決しようとする課題】
【００１１】
しかしながら、従来の特許文献１に記載の足場板用固定金具１００は、図１２に示すように、何らかの原因で足場板用固定金具１００のＨ形鋼１５０に対する取付姿勢が初期取付姿勢から変化した場合、下ホールド部材１０２の直線状の横辺部１２２がＨ形鋼１５０のフランジ１５１に対して交差する方向に傾斜して、凹辺部１２２及びフランジ１５１間の接触長さが減少し、足場板１６０のＨ形鋼１５０に対する固定力が減少するおそれがあった。なお、図１２は、下ホールド部材１０２が図１０中の時計回転方向に傾斜した場合を示しているが、下ホールド部材１０２が図１０中の反時計回転方向に傾斜した場合も、横辺部１２２とフランジ１５１との接触長さが減少する。
【００１２】
本発明は、かかる従来の問題点を解決するためになされたもので、被固定部材に対する取付姿勢が変化した場合でも、足場板の被固定部材に対する固定力が減少するのを抑制できる足場板固定用金具を提供することを目的とする。
【課題を解決するための手段】
【００１３】
本発明は、前記課題を解決するため、以下の手段を採用した。
すなわち、本発明は、被固定部材上に載置された足場板の上側に配置される上ホールド部材と、前記足場板の下側に配置され、前記上ホールド部材と協働して前記被固定部材及び前記足場板を挟持する下ホールド部材と、前記上ホールド部材と前記下ホールド部材とを互いに引き付ける引き付け部材と、を備え、
前記下ホールド部材は、前記足場板の下面に接触する第１の接触部と、前記被固定部材の下面に対して交差する方向に延伸し、且つ先端部のみ前記被固定部材の前記下面に接触する第２の接触部と、前記第１の接触部と前記第２の接触部とを連結する連結部と、を有する。
【００１４】
被固定部材としては、ビル等の構成部材、例えばＨ形鋼などを例示できる。本発明によれば、下ホールド部材の第２接触部が被固定部材に対して交差する方向に延伸し、且つ先端部のみ被固定部材の下面に接触するので、足場板の被固定部材に対する取付姿勢が初期取付姿勢から変化しても、第２接触部の先端部のみ被固定部材の下面に接触するという接触状態は変化しない。従って、上ホールド部材と下ホールド部材による足場板及び被固定部材の挟持力が変化しないので、足場板の被固定部材に対する固定力が減少するのを抑制できる。
【００１５】
ここで、前記第２の接触部には、前記被固定部材に対する滑りを抑制する滑り抑制手段が設けられている構成にできる。滑り抑制手段としては、剣先状の多数の凹凸を例示できる。この構成によれば、足場板固定用金具の被固定部材に対する取付姿勢が初期取付姿勢から変化したときに、第２接触部が被固定部材に対して滑るのを抑制して、第２接触部が被固定部材から外れるのを抑制できる。これにより、足場板を被固定部材に確実に固定できる。
【００１６】
また、前記下ホールド部材は、その横断面が略Ｕ字状に湾曲している構成にできる。この構成によれば、下ホールド部材の横断面に応力が集中する角部がないので、従来のように下ホールド部材の横断面がコの字状で角部がある場合に比べて強度を高くできる。
【発明の効果】
【００１７】
本発明によれば、足場板固定用金具の被固定部材に対する取付姿勢が初期取付姿勢から変化した場合でも、足場板の被固定部材に対する固定力が減少するのを抑制できる。
【図面の簡単な説明】
【００１８】
【図１】本発明の実施形態に係る足場板、Ｈ形鋼、及び足場板固定用金具を示す斜視図である。
【図２】本発明の実施形態に係る足場板固定用金具の組み立て図である。
【図３】本発明の実施形態に係る第１接触部を示す斜視図である。
【図４】本発明の実施形態に係る第２接触部の横断面を示す図であり、図１のＡ−Ａ断面図である。
【図５】本発明の実施形態に係る足場板固定用金具の初期取付姿勢を示す図である。
【図６】本発明の実施形態に係る上ホールド部材を示す図であり、図５のＢ矢視図である。
【図７】本発明の実施形態に係る足場板固定用金具の取付姿勢が初期取付姿勢から変化した状態を示す図である。
【図８】従来例に係る第１ホールド部材が潰れた状態を示す図である。
【図９】従来例に係る足場板固定用金具の初期取付姿勢を示す図である。
【図１０】従来例に係る足場板固定用金具を示す分解斜視図である。
【図１１】従来例に係る下ホールド部材の横断面図である。
【図１２】従来例に係る足場固定用金具の取付姿勢が初期取付姿勢から変化した状態を示す図である。
【発明を実施するための形態】
【００１９】
次に、本発明に係る足場板固定用金具について、図面を参照して詳細に説明する。なお、本実施形態は一実施例であり、本発明は実施形態に限定されない。
図１は、本発明に係る足場板固定用金具１を示す。この足場板固定用金具１は、建造物の構成部分すなわち被固定部材である例えばＨ形鋼５０上に載置される足場板６０を、Ｈ形鋼５０に着脱自在に固定するものである。尚、被固定部材は、Ｈ形鋼５０に限定されず、コの字状でもよい。
【００２０】
Ｈ形鋼５０は、上下に配置されたフランジ５１と、フランジ５１，５１を連結するウェブ５２とを有している。足場板６０は、長方形状の上板部６１と、この上板部６１における幅方向の両端に設けられ下方に延びる略Ｌ字状の脚部６２とを有している。上板部６１には、上板部６１の幅方向に延びる長溝状の水抜き孔６３が多数設けられている。なお、図１中の符号１４はスプリングワッシャー、２６，３６は水抜き孔である。
【００２１】
図２に示すように、足場板固定用金具１は、足場板６０の上側に配置される上ホールド部材１１と、足場板６０の下側に配置され、上ホールド部材１１と協働してＨ形鋼５０及び足場板６０を重ねた状態で挟持する下ホールド部材１２と、上ホールド部材１１と下ホールド部材１２とを互いに引き付ける引き付け部材であるネジ１３と、を備えている。
【００２２】
上ホールド部材１１は、足場板６０の水抜き孔６３に挿入される凹状部２０と、この凹状部２０の両側に配置され足場板６０上に配置される上板部２１と、この上板部２１の側端縁に設けられ足場板６０の水抜き孔６３に挿入される脚部２２とを有している。凹状部２０には、ボルト孔２３が設けられている。また、上板部２１には取付孔２４が設けられている。更に、凹状部２０の両端部には、図３に示すように、その底面から上方に延びる補強壁２５が立設されている。この補強壁２５は、凹状部２０における両側壁間に配置されている。尚、上板部２１の上面は、図２及び図３に示すような、平らな面に限定されない。上板部２１の上面は、脚部２２と凹状部２０の接続の間で弧を描くような湾曲状の面
でもよいし、上板部２１の下面（内壁部）が平面で、上面が上に凸る断面であるかまぼこ状の形状でもよい。
【００２３】
図５に示すように、下ホールド部材１２は、足場板６０における上板部６１の下面６１ａに接触する第１接触部３１と、Ｈ形鋼５０の上側のフランジ５１における下面５１ａに接触する第２接触部３２と、第１接触部３１と第２接触部３２とを連結する連結部３３とを有している。本実施形態では、第１接触部３１及び連結部３３は略直線状に形成され、全体として略Ｌ字状に形成されている。また、連結部３３には、ネジ１３を螺入するネジ孔３５が設けられている。
【００２４】
第２接触部３２は、連結部３３の先端から斜め上方に延伸している。本実施形態では、第２接触部３２は湾曲形成されている。これにより、第２接触部３２は、Ｈ形鋼５０のフランジ５１に対して交差する方向に延伸し、先端部のみフランジ５１の下面５１ａに接触する。第２接触部３２の先端部には、Ｈ形鋼５０のフランジ５１に対する滑りを抑制するため、滑り抑制手段である剣先状の凸部３４が複数設けられている。また、下ホールド部材１２における第１接触部３１，第２接触部３２，及び連結部３３の横断面は、図４に示すように、略Ｕ字状に形成されている。これにより、下ホールド部材１２全体の横断面には、応力が集中する角部がないようにできる。尚、下ホールド部材１２における第１接触部３１，第２接触部３２，及び連結部３３の横断面は、略Ｕ字状に限定されない。
【００２５】
次に、この足場板固定用金具１による足場板６０の固定方法について説明する。図５は、足場板固定用金具１によって最初に足場板６０をＨ形鋼５０に固定するときの足場板固定用金具１の取付姿勢（初期取付姿勢）を示す。
【００２６】
この初期取付姿勢では、足場板固定用金具１の上ホールド部材１１は、足場板６０の上板部６１におけるＨ形鋼５０から外れた部分に載置されている。上ホールド部材１１の凹状部２０及び脚部２２は、それぞれ足場板６０の互いに隣接する水抜き孔６３に挿入されている。また、上ホールド部材１１は、図６に示すように、ネジ１１ａによって足場板６０の上板部６１に着脱自在に取り付けられている。
【００２７】
図５に示すように、足場板固定用金具１の下ホールド部材１２は、足場板６０の下側に配置されている。この下ホールド部材１２の第１接触部３１における先端部分３１ａは、足場板６０の上板部６１における下側の面６１ａに接触している。
【００２８】
下ホールド部材１２の第２接触部３２は、足場板６０の下側で且つＨ形鋼５０のフランジ５１の下側に配置されている。そして、第２接触部３２の先端に設けられた凸部３４の鋭角部分が、フランジ５１の下面５１ａに接触している。足場板固定用金具１のネジ１３の頭部４２は、上ホールド部材１１の凹状部２０内に挿入されている。ネジ１３の軸部４０は、上ホールド部材１１の上側から凹状部２０のボルト孔２３を介して足場板６０の下側に通され、軸部４０の先端のネジ部４１が下ホールド部材１２における連結部３３のネジ孔３５に螺入されている。そして、ネジ１３が締め付けられて、上ホールド部材１１と下ホールド部材１２とが互いに強く引き付けられている。
【００２９】
ここでは、Ｈ形鋼５０及び足場板６０が重ねられた状態で、足場板固定用金具１の上ホールド部材１１と下ホールド部材１２によって挟持され、足場板６０がＨ形鋼５０に確実に固定されている。
【００３０】
このときの足場板固定用金具１の初期取付姿勢では、下ホールド部材１２の第１接触部３１及びネジ１３の軸部４０が、Ｈ形鋼５０のウェブ５２に対して略平行に配置されている。また、下ホールド部材１２の連結部３３は、Ｈ形鋼５０のフランジ５１に対して略平
行に配置されている。
【００３１】
図７は、足場板固定用金具１の取付姿勢が初期取付姿勢から変化した状態、ここでは、足場板固定用金具１の取付姿勢が図７中の時計回転方向に傾斜した状態を示す。この場合は、下ホールド部材１２の第１接触部３１がＨ形鋼５０のウェブ５２に対して交差する方向に傾斜し、連結部３３がＨ形鋼５０のフランジ５１に対して交差する方向に傾斜する。
【００３２】
しかし、この場合でも、下ホールド部材１２の第２接触部３２は、その先端部の凸部３４のみフランジ５１に接触する状態を維持している。従って、足場板固定用金具１の取付姿勢が変化したとしても、足場板固定用金具１による足場板６０のＨ形鋼５０に対する固定力が減少するのを抑制できる。
【００３３】
また、第２接触部３２の凸部３４は先端が鋭角なので、足場板固定用金具１のＨ形鋼５０に対する取付姿勢が変化した場合でも、凸部３４はフランジ５１に対して殆ど滑ることなく元の位置に保持される。従って、第２接触部３２がフランジ５１から外れるのを抑制でき、足場板６０をＨ形鋼５０に確実に固定できる。
【００３４】
また、下ホールド部材１２は、第１接触部３１、第２接触部３２及び連結部３３の横断面が略Ｕ字状に形成され、応力が集中する角部がないので、従来のように横断面がコの字状で角部がある場合に比べて、強度を高くできる。また、上ホールド部材１１と下ホールド部材１２とを互いに引き付けるネジ１３は、足場板６０の水抜き孔６３に挿通されるので、足場板６０にネジ１３を挿通させるために特別な孔などを設ける必要がなく、構成を簡略化できる。
【００３５】
また、上ホールド部材１１は、凹状部２０の両端部に補強壁２５が立設されているので、凹状部２０の両側から力が作用した場合でも、凹状部２０月ぶれるのを抑制できる。これに対して、図８に示す従来の上ホールド部材１０１は、凹状部１１１の両端部が単なる平板状に形成されているので、凹状部１１１に両側から力が作用した場合、凹状部１１１が潰れるおそれがある。
【００３６】
なお、図６は、足場固定用金具１の取付姿勢が初期取付姿勢に対して図６中の時計回転方向に傾斜した場合を示したが、足場固定用金具１の取付姿勢が初期取付姿勢に対して図６中の反時計回転方向に傾斜した場合も同様である。
【符号の説明】
【００３７】
１  足場板固定用金具
１１  上ホールド部材
１１ａ  ネジ
１２  下ホールド部材
１３  ネジ
１４  スプリングワッシャー
２０  凹状部
２１  平板部
２２  脚部
２３  ボルト孔
２４  取付孔
２５  補強壁
２６  水抜き孔
３１  第１の接触部
３２  第２の接触部
３３  連結部
３４  剣先状の凸部
３５  ネジ孔
３６  水抜き孔
４０  軸部
４１  ネジ部
４２  頭部
５０  Ｈ形鋼（建造物の構成部分）
５１  フランジ
５１ａ  フランジの下面
５２  ウェブ
６０  足場板
６１  上板部
６１ａ  上板部の下面
６２  脚部
６３  孔
１００  足場板用固定金具
１０１  上ホールド部材
１０２  下ホールド部材
１０３  ネジ
１１１  凹状部
１１２  上板部
１１３  脚部
１１４  孔
１２１  縦辺部
１２２  横辺部
１２３  ネジ孔
１３１  軸部
１３２  ネジ部分
１５０  Ｈ形鋼（建造物の構成部分）
１５１  フランジ
１６０  足場板
１６１  上板部
１６２  脚部
１６３  孔
【図１】
2010053683.tif 000003
【図２】
2010053683.tif 000004
【図３】
2010053683.tif 000005
【図４】
2010053683.tif 000006
【図５】
2010053683.tif 000007
【図６】
2010053683.tif 000008
【図７】
2010053683.tif 000009
【図８】
2010053683.tif 000010
【図９】
2010053683.tif 000011
【図１０】
2010053683.tif 000012
【図１１】
2010053683.tif 000013
【図１２】
2010053683.tif 000014